(57)【要約】【課題】  本考案は、転位した腰椎の配列を正す施療を行う、腰椎アジャスト台に関するものである。【解決手段】  手段は、腰椎部を当該腰椎アジャスト台の円弧状部に倣わせながら上に仰臥させ、重力を利用し、及び搖動をも加えて、異常状態の腰椎に接している円弧状部（４）を通して配列を正す力を及ぼしアジャストするものである。【選択図】図４
0003129233.tif 000002
【実用新案登録請求の範囲】
【請求項１】
異常な配置になった腰椎部を、正常彎曲を模して作った円弧状部（４）及び（５）を持つ左右２枚づつの腰椎台（１）及び仙骨台（２）に沿わせて、正常状態に揃えることを特徴とする腰椎アジャスト台。
【請求項２】
使用者が痛くないように、円弧状部（４）及び（５）の表面に柔軟な部分を設けた請求項１の腰椎アジャスト台。
【請求項３】
複数の円弧状部（４）及び（５）の底面（６）からの高さを変える装置を設けた請求項１の腰椎アジャスト台。
【請求項４】
複数の円弧状部（４）及び（５）の間隔を変える装置を設けた請求項１の腰椎アジャスト台。
【請求項５】
複数の円弧状部（４）及び（５）に搖動装置を設けた請求項１の腰椎アジャスト台。
【請求項６】
複数の円弧状部（４）及び（５）に低周波治療器の電極導子を組み込んだ請求項１の腰椎アジャスト台
【請求項７】
折り畳みできる構造或いは分解組み立てできる構造にして、携帯に便利にした請求項１の腰椎アジャスト台。
【考案の詳細な説明】
【技術分野】
【０００１】  本考案は、異常な腰椎を持つ人体を仰臥させ、当該アジャスト台の円弧状部（４）及び（５）を人体の異常な腰椎部分に沿わせて、当該異常部分を円弧状に倣わせてアジャストさせるように作った腰椎アジャスト台に関するものである。
【背景技術】
【０００２】  従来、当該腰椎アジャスト台が施療の対象としている不具合が生じた時には、鎮痛処置、手術、牽引、ベルトの装着、或いは枕状のもの、左右対称に配置したピンポン玉状のもの、又は鼓形をしたローラー状のものを腰部に挿入して仰臥するなどの他、周辺の組織の炎症への及び拘縮への処置、体操或いは手技などを行っていた。
【考案の開示】
【考案が解決しようとする課題】
【０００３】  （イ）成人の脊柱は正常ではＳ字状のカーブを描いて彎曲しており、脊柱の一部分である腰椎部は、前彎形の配列をしている。
（ロ）個々の腰椎及び周辺の軟部組織は、固体の成長に伴って腰椎部が前彎の配列を保てるような形状及び働きに出来上がってきていると考えられる。
（ハ）事務作業、勉強、或いは製造業でしばしば行われる座っての作業などの姿勢では、腰椎部は前彎よりもむしろ、直線或いは後彎に近い配列になってしまう場合が多い。
（ニ）腰椎部が直線形或いは後彎に近い配列になると、個々の腰椎の整列に混乱が生じ、腹側、背側、頭方、足方、左右方向への移動、回旋、傾斜及びこれらが複合した種々の転位が生じてしまうと考えられる。この状態を図５に模式的に示した。
（ホ）体表から腰椎部を目視或いは指で触れてみると、棘突起の体表側への突出、陥没や頭方、足方、左右方向への移動、回旋、傾斜及びこれらが複合した種々の転位が認められ、及びこれらに伴い関節突起なども、同様に転位しているのが認められる。
体表からの確認はほぼ不可能ではあるが、腰椎の主要部分であり、棘突起関節突起などと一体になっている椎体についても同様に転位しているであろうことは容易に類推できるところである。【０００４】  これらが原因となって、数多くの不具合を引き起こす。症状に急性、慢性の、或いは刺激痛、鈍痛などの違いは有るものの、主なものは腰、大腿、膝、下腿、足首、足などの痛み、痺れ、冷えなどである。【０００５】  また、現れる症状は概ね、歩行をはじめとして、体の動作、作業に差し支える、横臥や仰臥などで眠れない、足の裏が痺れる、などであり、軽度のものから重度のものまで様々である。【０００６】  手術による処置については、二の足を踏まざるを得ず、その他については何れも持続的効果を得がたいというのが現実であり、不具合を抱えたまま生活している人が多いのが現状である。
【課題を解決するための手段】
【０００７】  本考案は、腰椎アジャスト台の円弧状部（４）（５）に腰椎部を沿わせ、背部及び殿部を跨らせて仰臥させ、重力を利用し、なおかつ搖動をも加えて異常な状態の腰椎をアジャストするものである。この状態を図５に模式的に示した。【０００８】  （イ）腰椎台（１）は、正常彎曲を模した円弧状部（４）の中央部分（７）を最も高くしてあるため、この上に仰臥した時に、背部及び殿部が腰椎台（１）の円弧状部（４）の最高部（７）よりも低くなり、ために背部や殿部に加わる重力により腰椎部は引っ張り力を受ける。
（ロ）しかも、背側への突出や、頭方、足方、左右方向への移動、回旋、傾斜及びこれらが複合してジグザグの並び方になっている個々の腰椎が、腰椎台（１）の円弧状部（４）の面に選択的に接触して整列を正す力を受け、正常彎曲に近いカーブにアジャストされるものである。この状態を図５に模式的に示した。【０００９】  左右２枚の腰椎台（１）は、腰椎の左方及び右方に出ている関節突起を夫々が受けて支える（８）に十分な厚さ及び間隔を備えているものとする。【００１０】  左右２枚の腰椎台（１）の足方の延長上に上後腸骨棘（１１）があり、腰椎台（１）がこの上後腸骨棘（１１）に接すると腸骨（１２）に力が及び、仙骨（１０）の頷かせ運動及び骨盤輪に悪い影響が出ることは容易に想像ができる。従って左右２枚の腰椎台（１）の足方の限界は上後腸骨棘（１１）に影響を与えない範囲（８）に止めねばならない、【００１１】腰椎台（１）の足方の限界が、上後腸骨棘（１１）に影響を与えない範囲に止められたときには、仙骨（１０）が中空に浮かされた状態になる。このため腸骨（１２）に対して仙骨（１０）が起き上がり運動を起さないように腰椎台（１）に連続して仙骨台（２）を設置する。【００１２】  仙骨台（２）の左右２枚の厚さ及び間隔は、夫々が上後腸骨棘（１１）と仙骨一番の棘突起との間に収まる寸法（９）に製作する。【００１３】腰椎アジャスト台はこのように製作され使用されることにより、腰椎部は正しい整列および正常彎曲が保たれるのであり、腸骨輪は直接の影響を受けずに、仙骨（１０）は、腸骨（１２）に対して頷きが保たれるのである。
【考案の効果】
【００１４】  本考案の腰椎アジャスト台の上面に腰椎部をあてがって背部及び殿部を跨らせて仰臥させる。この時、背部及び殿部に受ける重力（Ｆ１及びＦ２）で腰椎部が伸展され、なおかつ正常彎曲を模した円弧状の面（４）から主として腰椎の関節突起が矯正される力を受け、これに搖動も加わってアジャストが進み、人体の不具合に効果をもたらすのである。
【考案を実施するための最良の形態】
【００１５】  腰椎台（１）の円弧状部（４）は、腰椎部の正常彎曲（前彎）を模してあり、最高部分（７）に腰椎部を沿わせて、両側の下方の円弧状部（４）に背部の方向及び殿部の方向が来るように仰臥させる。
この時、殿部の方向には上後腸骨棘（１１）があるため、殿部側の円弧状部（４）がこの上後腸骨棘（１１）と接しないように短く作り、またこれに連続して仙骨台（２）を設ける。【００１６】  装着にあたっては、腰椎アジャスト台の中心線と脊柱とは左右方向に正しく振り分けられた位置に合っていること。背部と殿部とが、軽くベッドに着いて夫々がバランス良く体重を支えており、頭方或いは足方のどちらかに著しく引かれていることのないこと。上後腸骨棘（１１）は腰椎台（１）の円弧状部（４）に乗っていないこと。及び心身ともにリラックスして、体は脱力できていることが必要である。【００１７】  本考案の腰椎アジャスト台が、上後腸骨棘（１１）に影響を与えず、仙骨（１０）を起き上がり運動させず、腰椎を好ましい状態に保つための最良の形態である。【００１８】  左右２枚の腰椎台（１）同士及び同じく左右２枚の仙骨台（２）同士の間隔が異なるのは、人体の腰椎の左右両側にある関節突起の間隔（８）に、及び上後腸骨棘（１１）の内側（９）に夫々合わせるためである。【００１９】  スペーサー（３）を配置する位置大きさ及び数は、それぞれ２枚の腰椎台（１）及び仙骨台（２）を夫々の間隔及び強度を保って結合できれば、任意に設定してよいものである。【００２０】  当該腰椎アジャスト台は腰椎台（１）仙骨台（２）及びスペーサー（３）の合計５個の部材から出来ているが、この形であれば必ずしも５個であるを要せず、数個の、或いはプラスチックモールドや板状の金属或いは新素材などによる一体成型などを選択することも可能である。【００２１】  腰椎台（１）の円弧状部（４）及び仙骨台（２）の、底面（６）からの高さを変える方法には，
（イ）  スクリュウねじを用いる方法。
（ロ）  シムを挿入する方法。
（ハ）  勾配を持つブロックに分割して、勾配に沿わせて摺動させる方法。
などがある。【００２２】    腰椎台（１）と仙骨台（２）との間隔を変える方法には、
（イ）  最適な寸法を確定して固定する方法。
（ロ）  複数の固定装置を設けて選択する方法。
（ハ）  スクリュウねじを用いる方法。
（ニ）  歯車機構を用いる方法。
（ホ）  クランク機構を用いる方法。
（ヘ）  流体及びシリンダー・ピストンを用いる方法。
（ト）  リンク機構を用いる方法。
（チ）  カム機構を用いる方法。
（リ）  つめ機構を用いる方法。
（ヌ）  摩擦伝動装置を用いる方法。
（ル）  ばねを用いる方法。
（ヲ）  蝶番を用いる方法。
などがある。【００２３】  当該腰椎アジャスト台に搖動を与える方法には、
（イ）  スクリュウねじを用いる方法。
（ロ）  歯車機構を用いる方法。
（ハ）  クランク機構を用いる方法。
（ニ）  流体及びシリンダー・ピストンを用いる方法。
（ホ）  リンク機構を用いる方法。
（ヘ）  カム機構を用いる方法。
（ト）  つめ機構を用いる方法。
（チ）  摩擦伝動装置を用いる方法。
（リ）  ばねを用いる方法。
（ヌ）  蝶番を用いる方法。
（ル）  機械ハンマーを用いる方法
（ヲ）  ソレノイド（電磁石）を用いる方法。
（ワ）  モーター（電動機）を用いる方法。
などがある。
また、搖動の強さ、周波数、振幅、波形の種類（サインカーブ、矩形波など）を作り、及びそれらを順不同に組み合わせて与えるなどのプログラムについては、機構的に或いは電子回路で管理する方法などがある。【００２４】  当該腰椎アジャスト台に組み込む電極導子は
（イ）  湿式パッド
（ロ）  粘着パッド
などがある。【００２５】  折り畳み及び分解組み立てする方法には
（イ）  ボルトナットを用いる方法
（ロ）  リンクを用いる方法
（ハ）  はめ込ませる方法
などがある。
【産業上の利用可能性】
【００２６】  以下、添付図面に従って一実施例を説明する。仰臥した際の当該腰椎アジャスト台と人体との左右の関係位置であるが、左右２枚の腰椎台（１）に腰椎の夫々左右の関節突起部を沿わせて、及び左右２枚の仙骨台（２）の間に仙骨の棘突起を沿わせる。
また同じく仰臥した際の頭方（Ｓｃ）及び足方（Ｓｄ）の関係位置は、腰椎台（１）を背部の方に、仙骨台（２）を殿部の方に向けて仰臥させ、腰椎台（１）の殿部側の円弧状部（４）が上後腸骨棘（１１）と接しないようにきちんと載せれば、背部と殿部とが軽くベッドに着いて、夫々に体重を支えるので、（Ｆ１）と（Ｆ２）の力は釣り合いが取れ、殆どの場合に収まり良くバランスの取れた施療姿勢を作れるのである。
このようにして腰椎の不具合をアジャストする腰椎アジャスト台である。【００２７】  症状的には小康を得つつも慢性化を辿っている人が多いのが現状である。当該腰椎アジャスト台を用いて施療することにより、多くの人々が比較的短期間に軽快することが期待できるものである。
【図面の簡単な説明】
【００２８】
【図１】  本考案の腰椎アジャスト台の実施例を示す平面図である。
【図２】  本考案の腰椎アジャスト台の実施例を示す立面図である。
【図３】  本考案の腰椎アジャスト台の実施例を示す立面図（図２）に矢印で示した一部切欠断面図である。
【図４】  本考案の腰椎アジャスト台の実施例を示す鳥瞰図である。
【図５】  使用状態での腰椎の模式図である。
【図６】  明細書で用いている人体の部位に関する概略の位置図である。
【符号の説明】
【００２９】  １  腰椎台
２  仙骨台
３  スペーサー
４  腰椎台（１）の円弧状部
５  仙骨台（２）の円弧状部
６  底面
７  腰椎台（１）の最高部分
８  腰椎台（１）が接する人体の部分
９  仙骨台（２）が接する人体の部分
１０  仙骨
１１  上後腸骨棘
１２  腸骨
Ｆ１  背部への重力
Ｆ２  殿部への重力
Ｓａ  腹側
Ｓｂ  背側
Ｓｃ  頭方
Ｓｄ  足方
【図１】
0003129233.tif 000003
【図２】
0003129233.tif 000004
【図３】
0003129233.tif 000005
【図４】
0003129233.tif 000006
【図５】
0003129233.tif 000007
【図６】
0003129233.tif 000008
【手続補正書】
【提出日】平成18年11月8日(2006.11.8)
【手続補正１】
【補正対象書類名】実用新案登録請求の範囲
【補正対象項目名】請求項１
【補正方法】変更
【補正の内容】
【請求項１】
腰椎台（１）及び仙骨台（２）に、腰椎に彎曲を与えるために中央部を最も高くした円弧状部（４）及び（５）を設け、克つ腰椎台（１）及び仙骨台（２）を左右２枚ずつに分けて棘突起を避ける間隔に円弧状部（４）及び（５）を設置したことを特徴とする腰椎アジャスト台。
【手続補正２】
【補正対象書類名】実用新案登録請求の範囲
【補正対象項目名】請求項７
【補正方法】変更
【補正の内容】
【請求項７】
腰椎台（１）、仙骨台（２）及びスペーサー（３）を折り畳みできる構造或いは分解組み立てできる構造にして、携帯に便利にした請求項１の腰椎アジャスト台。